(57)【特許請求の範囲】
【請求項１】
電解コンデンサを収納する複数の収納凹部が設けられたキャリアテープであって、
前記電解コンデンサは、底面電極および側面電極を含む外部電極と、前記外部電極における正負いずれか一方の極性を示す極性判別部と、を有するものであり、
前記収納凹部は、内周面および底面を有しており、かつ、
前記底面よりも上方に位置するとともに、前記電解コンデンサが載置される載置面と、
前記側面電極に対応した位置に形成されているとともに前記底面から上方にかけて広がるように外方に突出した膨出部と、
前記極性判別部に対応する部位に形成された極性指示部と、
を備え、
前記膨出部は、隣接する前記収納凹部の内周面から外方に突出するとともに、前記電解コンデンサが前記収納凹部に収納された状態において前記側面電極に干渉しないように前記側面電極が形成された領域全体の幅寸法よりも大きな幅寸法で上下方向に一連に延びるように形成された内部開口部を有し、
前記収納凹部は、前記内周面から離れた位置で前記底面より突出した複数の突出部を有しており、
前記載置面は、前記突出部の上面に位置しており、
前記極性判別部は、正負いずれか一方の極性を示す切欠部を有しており、
前記極性指示部は、前記切欠部の形状に対応させた面取部を有していることを特徴とするキャリアテープ。
【発明の詳細な説明】
【技術分野】
【０００１】
本発明は、電解コンデンサを収納するための複数の収納凹部が設けられたキャリアテープに関する。
【背景技術】
【０００２】
半導体デバイスやコンデンサなどの電子部品は、キャリアテープに収納された状態で輸送されることがある。図１６ないし図１８に示したキャリアテープ８は、チップ型の電解コンデンサ９を収納するためのものであり、複数の収納凹部８０が長手方向に連続して設けられている。収納凹部８０は、電解コンデンサ９を収納するのに十分な大きさを有しており、図示した例ではコンデンサ本体９０から延出するリード９１を逃がすための逃げ部８１を有している。
【０００３】
一方、電解コンデンサ９としては、底面電極９２および側面電極９３が形成されたものがある。このような電解コンデンサ９では、収納凹部８０の底面８２が平面であると、コンデンサ９の底面電極９２が底面８２と接触する。また、側面電極９３は、たとえ収納凹部８０に逃げ部８１を形成してあったとしても、その大きさがリードを逃がす程度のものであれば側面電極９３が収納凹部８０の側面８３に接触する。そのため、キャリアテープ８では、底面電極９２や側面電極９３が形成されたコンデンサ９を収納して輸送する時などは、収納凹部８０の電解コンデンサ９が外力の影響を受けやすく、底面電極９２や側面電極９３が汚染され、あるいは損傷することがある。
【０００４】
また、キャリアテープ８では、収納凹部８０は平面視形状において上下対称であるとともに左右対称である。そのため、コンデンサ９を収納凹部８０に、極性を揃えて複数の電解コンデンサ９を収納するときに、電解コンデンサ９の極性を誤って収納してしまう可能性が高くなる。
【先行技術文献】
【特許文献】
【０００５】
【特許文献１】実開平５−２６８６９号公報
【特許文献２】特開平６−１５６５６４号公報
【特許文献３】特開２０００−３２７０２５号公報
【特許文献４】特開２００３−２６２８１号公報
【特許文献５】特開平５−６５１７１号公報
【発明の概要】
【発明が解決しようとする課題】
【０００６】
本発明は、電解コンデンサをキャリアテープに収納して輸送する時などに、底面電極や側面電極が汚染あるいは損傷を抑制するとともに、収納凹部へのコンデンサの極性の向きを間違えて収納させることを回避することを課題としている。
【課題を解決するための手段】
【０００７】
本発明に係るキャリアテープは、電解コンデンサを収納する複数の収納凹部が設けられたキャリアテープであって、前記電解コンデンサは、底面電極および側面電極を含む外部電極と、前記外部電極における正負いずれか一方の極性を示す極性判別部と、を有するものであり、前記収納凹部は、内周面および底面を有しており、かつ、前記底面よりも上方に位置するとともに前記電解コンデンサが載置される載置面と、前記側面電極に対応した位置に形成されているとともに前記底面から上方にかけて広がるように外方に突出した膨出部と、前記極性判別部に対応する部位に形成された極性指示部と、を備え、前記膨出部は、隣接する前記収納凹部の内周面から外方に突出するとともに、前記電解コンデンサが前記収納凹部に収納された状態において前記側面電極に干渉しないように前記側面電極が形成された領域全体の幅寸法よりも大きな幅寸法で上下方向に一連に延びるように形成された内部開口部を有し、前記収納凹部は、前記内周面から離れた位置で前記底面より突出した複数の突出部を有しており、前記載置面は、前記突出部の上面に位置しており、前記極性判別部は、正負いずれか一方の極性を示す切欠部を有しており、前記極性指示部は、前記切欠部の形状に対応させた面取部を有していることを特徴としている。
【発明の効果】
【００１０】
本発明では、キャリアテープの収納凹部に電解コンデンサを収納した状態では、電解コンデンサが載置面に載置される。この載置面は、収納凹部の底面よりも上方に位置するため、収納凹部に収納された電解コンデンサは、収納凹部の底面に対して上方に位置することになる。このとき、電解コンデンサの底面電極もまた収納凹部の底面よりも上方に位置する。そのため、本発明では、電解コンデンサの底面電極が収納凹部の底面と接触するのを抑制することができるため、電解コンデンサをキャリアテープに収納して輸送する時などに、底面電極が汚染し、あるいは損傷することを抑制できる。
【００１１】
本発明ではまた、キャリアテープの収納凹部に電解コンデンサを収納した状態では、電解コンデンサの側面電極が収納凹部の膨出部に対応した部位に位置する。すなわち、側面電極は、膨出部に位置することによって収納凹部の内周面と接触することが抑制されている。そのため、本発明では、電解コンデンサをキャリアテープに収納して輸送する時などに、側面電極が汚染し、あるいは損傷してしまうことを抑制できる。
【００１２】
本発明ではさらに、キャリアテープの収納凹部にコンデンサを収納するときに、コンデンサの極性指示部を、キャリアテープの収納凹部の極性合せ部に合わせることにより、極性を誤ることなく、収納凹部に対してコンデンサを収納することができる。
【図面の簡単な説明】
【００１３】
【図１】本発明に係るキャリアテープを説明するための斜視図である。
【図２】図１に示したキャリアテープに収納される電解コンデンサの斜視図である。
【図３】図２に示した電解コンデンサの底面図である。
【図４】図２に示した電解コンデンサの分解斜視図である。
【図５】図１に示したキャリアテープにおける収納凹部の斜視図である。
【図６】図１に示したキャリアテープの要部を示す平面図である。
【図７】図６のＸ１−Ｘ１線に沿う断面図である。
【図８】図６のＸ２−Ｘ２線に沿う断面図である。
【図９】本発明に係るキャリアテープの他の例における収納凹部の斜視図である。
【図１０】図９に示した収納凹部の平面図である。
【図１１】本発明に係るキャリアテープの他の例における収納凹部の斜視図である。
【図１２】図１１に示した収納凹部の平面図である。
【図１３】本発明に係るキャリアテープの他の例における収納凹部の斜視図である。
【図１４】図１３に示した収納凹部の平面図である。
【図１５】図１３に示した収納凹部の断面図である。
【図１６】従来のキャリアテープを説明するための斜視図である。
【図１７】図１６に示したキャリアテープの要部を示す平面図である。
【図１８】図１６に示したキャリアテープの断面図である。
【発明を実施するための形態】
【００１４】
以下、本発明の実施の形態について説明する。
【００１５】
図１に示したキャリアテープ１は、搬送時などに電解コンデンサ２を収納するためのものである。キャリアテープ１は、図２ないし図４に示した構成の電解コンデンサ２の収納・搬送に適したものである。
【００１６】
電解コンデンサ２は、面実装デバイスとして形成されたものであり、コンデンサ本体２０、座板３および外部電極４Ａ，４Ｂを備えている。
【００１７】
コンデンサ本体２０は、図面上は明確には現れていないが、コンデンサ素子をケース内に収容した構成を有している。コンデンサ素子は、誘電体としての酸化皮膜が形成された陽極用アルミニウム箔と、陰極用アルミニウム箔との間に電解紙を挟んだ状態で巻き取り、電解液を含浸させた構造を有している。コンデンサ本体２０（コンデンサ素子）は、陽極リード２１および陰極リード２２を有している。これらのリード２１，２２は、それぞれ外部電極４Ａ，４Ｂに導通するものであり、コンデンサ本体２０の底面２３に対して一定の隙間を介して設けられている。陽極リード２１と陰極リード２２とは互いに反対方向に延出しており、それぞれバネ性を有している。
【００１８】
座板３は、コンデンサ本体２０および外部電極４Ａ，４Ｂを保持するためのものである。この座板３は、プレート３０および一対の起立壁３１，３２を備えている。
【００１９】
プレート３０は、コンデンサ本体２０を支持し、外部電極４Ａ，４Ｂを保持するものであり、スリット３３および凹部３４を有している。スリット３３は、座板３にコンデンサ本体２０を固定するときに、コンデンサ本体２０のリード２１，２２の移動を許容するものである。なお、スリット３３の替わりに、リード２１，２２の挿通孔を設けてもよい。凹部３４は、座板３にコンデンサ本体２０を固定したときに、後述する外部電極４Ａ，４Ｂの連結部４０Ａa，４０Ｂaを介した状態で、リード２１，２２が位置する部分である。コンデンサ本体２０は、リード２１，２２のバネ性によって固定されるとともに、一対の起立壁３１，３２によって拘束されている。
【００２０】
一対の起立壁３１，３２は、コンデンサ本体２０の下部においてコンデンサ本体２０の周面を保持するものである。各起立壁３１，３２には、弧状凹部３１Ａ，３２Ａが形成されている。弧状凹部３１Ａ，３２Ａは、コンデンサ本体２０の周面形状に対応した形態を有しており、これらの弧状凹部３１Ａ，３２Ａにおいて、座板３に対してコンデンサ本体２０を適切に拘束できるようになされている。
【００２１】
一方の起立壁３１はコンデンサ本体２０の正極リード２１の側に配置され、他方の起立壁３２はコンデンサ本体２０の負極リード２２の側に配置されている。一方の起立壁３１は、切欠部３５を有している。切欠部３５は、陽極リード２１を負極リード２２と区別するためのものであり、極性判別部として作用するものである。すなわち、切欠部３５が設けられた側がコンデンサ本体２０ひいては電解コンデンサ２において陽極側となっており、外観上の特性において、電解コンデンサ２の極性を容易に把握できるようになっている。
【００２２】
外部電極４Ａ，４Ｂは、コンデンサ本体２０のリード２１，２２に導通するものであり、座板３に固定されている。外部電極４Ａは陽極として作用するものであり、外部電極４Ｂは陰極として作用するものである。外部電極４Ａ，４Ｂは、底面電極４０Ａ，４０Ｂ,および側面電極４１Ａ，４１Ｂを含んでおり、プレス成形などにより一体的に形成されている。
【００２３】
底面電極４０Ａ，４０Ｂは、プレート３０の底面に沿って配置されたものであり、連結部４０Ａa，４０Ｂaを有している。連結部４０Ａa，４０Ｂaは、プレート３０の凹部３４の表面の形状に対応したクランク状に屈曲形成されており、凹部３４の表面に沿って配置される。上述のように、凹部３４には、コンデンサ本体２０のリード２１，２２が配置される。すなわち、外部電極４Ａ，４Ｂは、凹部３４に嵌め込むことで、プレート３０に固定されている。なお、外部電極４Ａ，４Ｂは、座板３に対してインサート成形により固定し、あるいは公知の成膜手法により膜形成してもよい。
【００２４】
側面電極４１Ａ，４１Ｂは、プレート３０における起立壁３１，３２の側面に沿って配置されたものである。側面電極４１Ａ，４１Ｂは、底面電極４０Ａ，４０Ｂから連続して底面電極４０Ａ，４０Ｂに対して起立して形成されている。
【００２５】
図１に示したように、キャリアテープ１は、複数の収納凹部１０が長手方向に並んで設けられたものである。
【００２６】
図１、図５ないし図８に示したように、収納凹部１０は、電解コンデンサ２が収納される部分であり、一対の突出部５、膨出部６および面取部７を有している。
【００２７】
突出部５は、収納凹部１０の底面１１から上方に突出したものであり、キャリアテープ１の幅方向に延びている。突出部５の上面５０は、底面１１と平行な平坦面とされており、収納凹部１０に電解コンデンサ２を収納するときの載置面として作用する。突出部５の上面５０、すなわち載置面５０は、収納凹部１０の底面１１から離間し、底面１１よりも上方に位置している。さらに、載置面５０は、電解コンデンサ２の底面電極４０Ａ，４０Ｂと接触しない位置に形成されている。
【００２８】
キャリアテープ１では、収納凹部１０に収納された電解コンデンサ２は、収納凹部１０の底面１１から離間して底面１１に対して上方に位置することになる。このとき、電解コンデンサ２の底面電極４０Ａ，４０Ｂもまた収納凹部１０の底面１１よりも上方に位置する。そのため、キャリアテープ１では、電解コンデンサ２の底面電極４０Ａ，４０Ｂが収納凹部１０の底面１１と接触するのを抑制することができるため、電解コンデンサ２をキャリアテープ１に収納して輸送する時などに、底面電極４０Ａ，４０Ｂが汚染し、あるいは損傷することを抑制できる。また、載置面５０が底面電極４０Ａ，４０Ｂに接触しないように形成されていることから、底面電極４０Ａ，４０Ｂが載置面５０に接触して底面電極４０Ａ，４０Ｂが汚染され、あるいは損傷することもない。
【００２９】
膨出部６は、電解コンデンサ２の側面電極４１Ａ，４１Ｂに対応した位置において外方に向けて突出しているとともに、上下方向に一連に延びる内部開口部６０を含んでいる。内部開口部６０は、電解コンデンサ２において、側面電極４１Ａ，４１Ｂが形成された領域全体の幅寸法よりも大きな幅寸法を有している。
【００３０】
キャリアテープ１では、収納凹部１０に電解コンデンサ２を収納した状態では、電解コンデンサ２の側面電極４１Ａ，４１Ｂが収納凹部１０の膨出部６に対応した部位、すなわち内部開口部６０に位置する。そのため、側面電極４１Ａ，４１Ｂは、内部開口部６０に位置することによって、電解コンデンサ２が収納凹部１０の内周面１２と干渉するのは、座板３の起立壁３１，３２における側面電極４１Ａ，４１Ｂが形成されていない領域となる。その結果、キャリアテープ１では、電解コンデンサ２の側面電極４１Ａ，４１Ｂは収納凹部１０の内周面１２と接触することが抑制されるため電解コンデンサ２をキャリアテープ１に収納して輸送する時などに、側面電極４１Ａ，４１Ｂが汚染し、あるいは損傷することを抑制できる。また、膨出部６（内部開口部６０）は、上下方向に一連に延びて形成されているため、収納凹部１０に電解コンデンサ２を収納するときには、膨出部６が電解コンデンサ２の側面電極４１Ａ，４１Ｂのガイドとして機能するとともに、収納凹部１０に電解コンデンサ２を収納する作業において、収納凹部１０に内周面１２に電解コンデンサ２の側面電極４１Ａ，４１Ｂが接触することを抑制することができる（特に図６参照）。
【００３１】
面取部７は、極性指示部として作用するものであり、テーパ状に形成されている。この面取部７は、収納凹部１０における四隅のうちの隣接する２つの隅に形成されている。キャリアテープ１では、収納凹部１０に電解コンデンサ２を収納するときに、コンデンサ２の切欠部３５（極性指示部）を、キャリアテープ１の収納凹部１０の面取部（極性合せ部）に合わせることにより、極性を誤ることなく、収納凹部１０に対してコンデンサ３６を収納することができる。また、キャリアテープ１では、面取部７がテーパ状に形成されていることから、電解コンデンサ２の切欠部３５を面取部７に対応させて収納凹部１０に電解コンデンサ２を収納するときには、面取部７がガイドとして機能するため、収納凹部１０に対する電解コンデンサ２の収納作業を容易かつ確実に行うことができる（特に図６参照）。
【００３２】
本発明は、以上に説明した実施の形態には限定されず、種々に変更可能である。たとえば、上述の例では、膨出部６は、収納凹部１０の周面において、上下方向に一連延びる形態であったが、電解コンデンサ２の側面電極４１Ａ，４１Ｂが収納凹部１０の内周面１２と接触することを抑制できる限りにおいては、その形態は問わない。
【００３３】
また、電解コンデンサ２の極性指示部およびキャリアテープ１の極性指示部は、それぞれ切欠部３５および面取部７の形態である必要はなく、電解コンデンサ２において外観極性から極性を把握でき、収納凹部１０において複数の電解コンデンサ２の極性を揃えて収納できる限りにおいては、他の形態であってもよい。
【００３４】
さらに、電解コンデンサを載置するための収納凹部の載置面は、電解コンデンサの底面を収納凹部の底面から離間させることができる構成であればよく、たとえば図９ないし図１５に示した形態であってもよい。
【００３５】
図９および図１０に示したキャリアテープ１Ａは、載置面５０Ａが４つの突出部５Ａの上面として構成されたものである。４つの突出部５Ａは、収納凹部１０Ａにおける底面１１Ａの四隅から突出する円筒状に形成されている。載置面を形成するために複数の突出部を設ける場合、各突出部の形状は、円筒状に限らず角柱状であってもよく、突出部の個数も４つである必要はなく、また突出部を形成する位置も収納凹部の底面の四隅には限定されない。
【００３６】
図１１および図１２に示したキャリアテープ１Ｂは、載置面５０Ｂが１つの突出部５Ｂの上面として構成されたものであるが、突出部５Ｂの構成が先に説明したキャリアテープ１（図５参照）とは異なっている。突出部５Ｂは、収納凹部１０Ｂの底面１１Ｂから十字状に突出した形態を有している。１つの突出部によって載置面を構成する場合、突出部は十字状に限らず、円柱状、角柱状、円環状等の環状であってもよい。
【００３７】
図１３ないし図１５に示したキャリアテープ１Ｃは、載置面５０Ｃが収納凹部１０Ｃの底面１１Ｃの周縁において延びる段差部５Ｃの上面として構成されたものである。段差部５Ｃは、一部において切り欠かれた形態であってもよい。段差部はまた、四隅に設けてもよく、この場合の段差部は、四隅の全てに設けてもよいし、対角をなす２つの隅に設けてもよい。
【符号の説明】
【００３８】
１，１Ａ，１Ｂ，１Ｃ  キャリアテープ
１０，１０Ａ，１０Ｂ，１０Ｃ  収納凹部
１２  内周面
１１，１１Ａ，１Ｂ，１Ｃ  底面
２  電解コンデンサ
３５  切欠部（極性判別部）
４Ａ，４Ｂ  外部電極
４０Ａ，４０Ｂ  底面電極
４１Ａ，４１Ｂ  側面電極
５，５Ａ，５Ｂ  突出部
５Ｃ  段差部
５０，５０Ａ，５０Ｂ，５０Ｃ  載置面（突出部の上面）
６  膨出部
７  面取部（極性指示部）
【図１】
0005875791.tif 000002
【図２】
0005875791.tif 000003
【図３】
0005875791.tif 000004
【図４】
0005875791.tif 000005
【図５】
0005875791.tif 000006
【図６】
0005875791.tif 000007
【図７】
0005875791.tif 000008
【図８】
0005875791.tif 000009
【図９】
0005875791.tif 000010
【図１０】
0005875791.tif 000011
【図１１】
0005875791.tif 000012
【図１２】
0005875791.tif 000013
【図１３】
0005875791.tif 000014
【図１４】
0005875791.tif 000015
【図１５】
0005875791.tif 000016
【図１６】
0005875791.tif 000017
【図１７】
0005875791.tif 000018
【図１８】
0005875791.tif 000019